(57)【特許請求の範囲】
【請求項１】
上部が開口されるとともに、内部にバーナが配置される筐体と、
前記バーナを挿通させるバーナ開口を有し、前記筐体の上部に配置される天板と、
前記天板における前記バーナ開口の周縁部に設けられた五徳装着部に装着され、前記バーナの上方において被加熱物を支持する五徳とを備えたこんろであって、
前記五徳は、
円環状の五徳リングと、
前記五徳リングにおいて周方向に６０度間隔で配置され、且つ、前記五徳リングの径方向外側に突出して設けられる六つの五徳爪と、
前記六つの五徳爪のうち一つ置きに配置される三つの五徳爪が前記五徳リングに対して取り付けられる取付位置に対応する前記五徳リングの内縁部が、前記五徳リングの径方向内側に延ばされてなる三つの突起部とを備え、
三つの前記突起部のうち一つの前記突起部は、前記五徳リングにおいて前記五徳リングの中心を通過して延びる仮想直線に対して直交する方向の一方側の部分に配置され、
前記三つの突起部のうち他の二つの前記突起部は、前記五徳リングにおいて前記仮想直線に対して直交する方向の前記一方側とは反対側である他方側の部分に配置され、
前記五徳装着部は、前記天板の上面に対して上方に隆起して、前記バーナ開口を円環状に取り囲む円環部と、
前記円環部の外縁部と前記天板の上面とを接続し、前記円環部よりも下方に位置する接続部と、
前記接続部の所定位置に設けられ、前記突起部を受け入れるための凹部とを備え、
少なくとも、前記バーナ開口の中心から前記円環部の前記外縁部までの距離は、前記五徳リングの中心から前記突起部下端の内周端までの距離よりも短くされている
ことを特徴とするこんろ。
【請求項２】
前記筐体には、前記バーナに点火するための点火手段および前記バーナの燃焼状態を検知するための検知手段が、前記バーナの背面側に隣接して設けられ、
前記五徳装着部は、前記円環部において前記点火手段および前記検知手段が設けられる位置に対応して設けられ、前記点火手段および前記検知手段を前記円環部の下面側から上面側に挿通させるための挿通部を備え、
前記凹部は、前記接続部の正面側の位置、および前記接続部において前記挿通部を左右に互いに挟む位置に、周方向に１２０度間隔で設けられていることを特徴とする請求項１に記載のこんろ。
【請求項３】
前記凹部は、前記円環部の内側から外側に向けて拡幅する扇状に形成されることを特徴とする請求項１または２に記載のこんろ。
【発明の詳細な説明】
【技術分野】
【０００１】
本発明は、天板上に設けられた五徳装着部に五徳基部のリング状部材が外挿されることで五徳の位置合わせがされるこんろに関する。
【背景技術】
【０００２】
従来、内部にバーナが配置された筐体と、板金にホーロー等による表面処理が施され、筐体の上面に配置される天板とを備えたこんろが知られている。このようなこんろの天板には、一または複数のバーナ開口が設けられており、筐体に天板を取り付けた状態で、バーナ開口の内側にバーナが臨むように構成されている。
【０００３】
バーナ開口の周囲には、被加熱物をバーナの上方において支持する五徳を天板上に装着するための五徳装着部が設けられる。このような五徳装着部は、バーナ開口を取り囲み、上部が平面状に構成された円環状の隆起部として設けられることがある。特許文献１に開示されたガスこんろは、五徳基部に設けられる環状の五徳枠を五徳装着部に外挿することで五徳を天板上に配置する。五徳枠に設けられている複数の五徳爪のうち五徳枠において互いに半周離れた部分に固定される二つの五徳爪には、五徳枠の内側に突出する突部が設けられている。五徳装着部の外周部において互いに半周離れた部分には二つの切欠き部が設けられており、五徳装着部に外挿された五徳爪の突部が切欠き部に嵌め合わされることで、五徳が五徳装着部に対して位置合わせされた状態で装着される。
【先行技術文献】
【特許文献】
【０００４】
【特許文献１】特開２０１２−２４２０５２号公報
【発明の概要】
【発明が解決しようとする課題】
【０００５】
しかしながら、特許文献１に記載のガスこんろにおいて、切欠き部に対して突部が嵌め合わされず、五徳装着部に対して五徳が正しく装着されていない誤装着状態であっても、五徳が五徳装着部の上において傾くことなく配置されてしまう可能性がある。誤装着状態は、五徳装着部に対して五徳が正しく装着されている状態よりも五徳の配置が不安定な状態であるが、五徳が五徳装着部の上に傾くことなく配置される場合には、こんろの使用者は、五徳が誤装着状態であることに気付かない可能性がある。
【０００６】
本発明はこのような問題点を解決するためになされたものであり、五徳の誤装着状態を使用者に速やかに認識させることのできるこんろを提供することを目的とする。
【課題を解決するための手段】
【０００７】
本発明の請求項１に係るこんろは、上部が開口されるとともに、内部にバーナが配置される筐体と、前記バーナを挿通させるバーナ開口を有し、前記筐体の上部に配置される天板と、前記天板における前記バーナ開口の周縁部に設けられた五徳装着部に装着され、前記バーナの上方において被加熱物を支持する五徳とを備えたこんろであって、前記五徳は、円環状の五徳リングと、前記五徳リングにおいて周方向に６０度間隔で配置され、且つ、前記五徳リングの径方向外側に突出して設けられる六つの五徳爪と、前記六つの五徳爪のうち一つ置きに配置される三つの五徳爪が前記五徳リングに対して取り付けられる取付位置に対応する前記五徳リングの内縁部が、前記五徳リングの径方向内側に延ばされてなる三つの突起部とを備え、三つの前記突起部のうち一つの前記突起部は、前記五徳リングにおいて前記五徳リングの中心を通過して延びる仮想直線に対して直交する方向の一方側の部分に配置され、前記三つの突起部のうち他の二つの前記突起部は、前記五徳リングにおいて前記仮想直線に対して直交する方向の前記一方側とは反対側である他方側の部分に配置され、前記五徳装着部は、前記天板の上面に対して上方に隆起して、前記バーナ開口を円環状に取り囲む円環部と、前記円環部の外縁部と前記天板の上面とを接続し、前記円環部よりも下方に位置する接続部と、前記接続部の所定位置に設けられ、前記突起部を受け入れるための凹部とを備え、少なくとも、前記バーナ開口の中心から前記円環部の前記外縁部までの距離は、前記五徳リングの中心から前記突起部下端の内周端までの距離よりも短くされていることを特徴とする。
【０００８】
【０００９】
【００１０】
請求項２に係るこんろは、請求項１に記載の発明の構成に加えて、前記筐体には、前記バーナに点火するための点火手段および前記バーナの燃焼状態を検知するための検知手段が、前記バーナの背面側に隣接して設けられ、前記五徳装着部は、前記円環部において前記点火手段および前記検知手段が設けられる位置に対応して設けられ、前記点火手段および前記検知手段を前記円環部の下面側から上面側に挿通させるための挿通部を備え、前記凹部は、前記接続部の正面側の位置、および前記接続部において前記挿通部を左右に互いに挟む位置に、周方向に１２０度間隔で設けられていることを特徴とする。
【００１１】
請求項３に係るこんろは、請求項１または２に記載の発明の構成に加えて、前記凹部は、前記円環部の内側から外側に向けて拡幅する扇状に形成されることを特徴とする。
【発明の効果】
【００１２】
請求項１に係るこんろでは、六つの五徳爪が周方向に６０度間隔で五徳リングに対して配置され、六つの五徳爪のうち一つ置きに配置される三つの五徳爪の取付位置に対応して突起部が構成されるので、三つの突起部が１２０度間隔で五徳リングに配置される。このため、五徳は、１２０度回転毎に五徳装着部に対して正しく装着されることとなる。従って、五徳が五徳装着部に対して、より正しく装着されやすくなり、五徳が誤装着状態になることが防止される。また、こんろの使い勝手が向上する。三つの突起部は、五徳リングにおいて、五徳リングの中心を通過する仮想直線に直交する一方側と他方側とに分散配置されるので、例えば二つの突起部を有する場合よりも、五徳装着部に装着された五徳の安定性が向上する。なお、このように五徳リングに三つの突起部が設けられることで、五徳リングにおいて互いに半周離れた部分に二つの突起部が設けられている従来例よりも、平面上に五徳が安定して載置されやすくなる。少なくともバーナ開口の中心から五徳装着部における円環部の外縁部までの距離、即ち、バーナ開口中心から五徳装着部の接続部を除いた部分までの距離が、五徳リングの中心から突起部下端の内周端までの距離よりも短くされている。このため、五徳装着部の凹部に対して五徳の突起部が嵌まらず、五徳装着部に対して五徳が正しく装着されていない誤装着状態では、少なくとも一つの突起部が接続部の上側に配置されるとともに、残りの突起部は接続部よりも上方に位置する円環部の上側に配置されることとなる。このような場合、五徳の安定性が向上した場合にも、五徳全体は円環部に対して傾斜した不安定な姿勢をとることになる。従って、請求項１に係るこんろは、安定性の向上した五徳を使用した場合にも、五徳が誤装着状態にあることを使用者に一見で把握させることができるので、五徳が誤装着状態のまま五徳に被加熱物が載置されてこんろが使用されることを速やかに防止できる。
【００１３】
【００１４】
【００１５】
請求項２に係るこんろは、請求項１に記載の発明の効果に加えて、凹部が、接続部の正面側の位置に設けられるので、五徳に載置される被加熱物が筐体正面側に転倒することを防止できる。また、点火手段および検知手段がバーナの背面側に設けられるので、例えば点火手段および検知手段がバーナの正面側に配置されるよりも使用者に視認されにくくなり、こんろの美観が向上する。この場合、挿通部は円環部において点火手段および検知手段が設けられる位置に対応する位置に設けられるが、凹部が挿通部を互いに挟む位置に設けられるので、円環部および接続部において、挿通部と凹部との間隔が確保される。例えば、五徳装着部がプレス加工等により形成される場合があるが、この場合であっても、挿通部と凹部との間隔が確保されるので、天板に用いる板金のプレス代（しろ）の減少等によって挿通部および凹部に成型歪みの生ずることが防止される。例えば、五徳装着部が天板と一体成型されるような場合、歩留り向上に特に資する。また、このような挿通部および凹部の配置の工夫により、挿通部と凹部との間隔を確保するために五徳装着部を大きくする必要がない。このため、五徳装着部を小型化できるので、こんろの美観が向上する。
【００１６】
請求項３に係るこんろは、請求項１または２に記載の発明の効果に加えて、凹部は、円環部の内側から外側に向けて、即ち五徳装着部の内側から外側に向けて拡幅する扇状に形成されるので、凹部に突起部が受け入れられやすくなる。また、凹部の内部の清掃を容易化できる。
【図面の簡単な説明】
【００１７】
【図１】こんろ１を正面から見た斜視図である。
【図２】こんろ１後面から見た斜視図である。
【図３】トッププレート３の斜視図である。
【図４】五徳装着部３３を拡大した平面図である。
【図５】図３に示すＩ−Ｉ線矢視方向断面図である。
【図６】五徳５０の平面図である。
【図７】図６に示すＩＩ−ＩＩ線矢視方向断面図である。
【図８】図６に示すＩＩＩ−ＩＩＩ線矢視方向断面図である。
【図９】五徳装着部３３に五徳５０が装着された状態を示す斜視図である。
【図１０】誤装着状態にある五徳５０を示す説明図である。
【図１１】誤装着状態にある五徳５０を示す説明図である。
【図１２】変形例における五徳装着部３３を拡大した平面図である。
【発明を実施するための形態】
【００１８】
以下、本発明の実施形態について、図面を参照して説明する。以下説明は、図中に矢印で示す上下、左右、前後を使用する。なお、図１に示すテーブルこんろ１（以下、単に、こんろ１と称する。）は、テーブルこんろであるが、ビルトインこんろ等であってもよい。
【００１９】
図１および図２を参照して、こんろ１の構造について説明する。図１および図２に示すように、こんろ１は、器具本体を構成する筐体２と、トッププレート３を備える。筐体２は、金属製であって、上面に開口部（図示せず）を備えた略直方体状に形成されている。筐体２の内部には、左右一対のガスバーナ５，５が配置されている。トッププレート３は、板金をプレス加工することで形成される。トッププレート３の少なくとも上面には、煮こぼれした液体等による汚れの固着を防止するため、ホーローによるコーティングが施されている。トッププレート３は、筐体２上面の開口部を閉塞して、筐体２の上部に固定されている。トッププレート３には、左右一対の略円形のバーナ開口４，４が形成されており、トッププレート３が筐体２の上部に設置されることで、ガスバーナ５が筐体２側から上方に突出して、各バーナ開口４の中央に臨む。ガスバーナ５，５の各周囲には、五徳５０，５０がそれぞれ配置されている。五徳５０，５０の各上部には、鍋、フライパン等を含む調理器具等の被加熱物（図示せず）が載置される。
【００２０】
ガスバーナ５は、筐体２の内部に配置されたバーナ本体（図示せず）と、バーナ本体の上部に設置され、外周部に多数の炎口５Ａが形成されたバーナヘッド５Ｂを備える。バーナヘッド５Ｂの中央には、被加熱物の温度を検知するための鍋センサ５Ｃが設けられている。鍋センサ５Ｃの筒体の内部には、図示しないサーミスタが格納されているので、鍋センサ５Ｃは、鍋底温度等、被加熱物の温度を検知できる。図２に示すように、バーナヘッド５Ｂの後方の炎口５Ａ近傍には、放電による点火を行うための点火電極５Ｄと、火炎の有無を検知するための熱電対５Ｅとが設けられている。点火電極５Ｄと熱電対５Ｅとがバーナヘッド５Ｂの後方側に配置されることで、筐体２正面側からこんろ１を使用する使用者から、点火電極５Ｄと熱電対５Ｅが視認されにくくなる。このため、こんろ１の外観がすっきりとするので、こんろ１の美観が向上する。
【００２１】
また、図１に示すように、筐体２の正面中央には、グリル扉２４が設けられている。グリル扉２４の前面にはガラス窓部２５が設けられている。こんろ１の使用者は、ガラス窓部２５によって、筐体２の内部に設置されるグリル庫（図示せず）内部の被調理物の焼け具合等を視認できる。ガラス窓部２５の下方には、取っ手２６が前方に突出して設けられている。グリル扉２４は、筐体２の前方に引き出し可能であり、こんろ１の使用者は、取っ手２６を把持してグリル扉２４を引き出すことで、グリル庫を開閉できる。トッププレート３の後方には、複数の排気孔を備える排気口カバー８が設置されている。排気口カバー８は、後述するグリル排気口７（図３参照）を上側から覆うカバー部材である。
【００２２】
グリル扉２４の右側の領域には、点火スイッチ１１，１２、火力調節つまみ１６，１７等がそれぞれ設けられている。点火スイッチ１１は、グリル扉２４の右側に隣接して設けられ、右側のガスバーナ５の点火／消火の操作を行う。点火スイッチ１１が押下操作されると、バーナ本体へ一次空気と燃料ガスが供給され、混合気となってバーナヘッド５Ｂの炎口５Ａから流出する。同時に、筐体２の内部に設けられた図示しないコントローラが点火電極５Ｄを放電させて混合気に点火し、バーナヘッド５Ｂの外周部に火炎が形成される。また、ガスバーナ５が点火されている状態で点火スイッチ１１が操作されると、ガスバーナ５は消火される。点火スイッチ１２は、点火スイッチ１１の右隣に設けられ、グリル庫内部に設けられた上バーナおよび下バーナ（図示せず）の点火／消火の操作を行う。
【００２３】
さらに、火力調節つまみ１６は、点火スイッチ１１の上方に設けられ、略左右方向におけるスライド操作によって、右側のガスバーナ５の火力調節ができる。火力調節つまみ１７は、点火スイッチ１２の上方に設けられ、上火用調整つまみ１７Ａと下火用調整つまみ１７Ｂとを上下に備える。上火用調整つまみ１７Ａは、略左右方向におけるスライド操作によって、グリル庫の上バーナの火力調節ができる。下火用調整つまみ１７Ｂは、略左右方向におけるスライド操作によって、グリル庫の下バーナの火力調節ができる。
【００２４】
一方、グリル扉２４の左側の領域には、点火スイッチ１３、火力調節つまみ１８、電池ケース１４等がそれぞれ設けられている。点火スイッチ１３は、グリル扉２４の左側に隣接して設けられ、左側のガスバーナ５の点火／消火の操作を行う。火力調節つまみ１８は、点火スイッチ１３の上方に設けられ、略左右方向におけるスライド操作によって、左側のガスバーナ５の火力調節ができる。電池ケース１４は、点火スイッチ１３の左隣に設けられ、こんろ１の電源として、例えば二つの乾電池（図示せず）を格納する。
【００２５】
図３から図５を参照して、トッププレート３およびトッププレート３におけるバーナ開口４，４の周辺部の構造について説明する。図３に示すように、トッププレート３は、筐体２の上面開口部に対応する大きさの矩形状に形成されている。トッププレート３の上面３１における後方には、左右に延びる略長方形状の孔部であるグリル排気口７が設けられている。グリル排気口７は、前述のグリル庫と連通して、グリル庫内部の排気を行う。また、グリル排気口７の左右の両側には、排気口カバー８を位置決めするための複数の孔部７Ｂが設けられている。
【００２６】
トッププレート３の外縁には、上面３１から延設された板金が筐体２上部の外周に沿うように下方に折り返された外周部３９が設けられている。トッププレート３は、筐体２の上部に配置された後、外周部３９の複数の所定位置においてねじ止めされて筐体２に固定される。
【００２７】
トッププレート３の上面３１における略中央には、バーナ開口４，４を含み、上面３１よりも一段下方に窪んだ部分である中央凹部３２が設けられている。中央凹部３２は、上面３１よりも下方に設けられているので、例えばこんろ１の使用において生じた煮こぼれを受け止めることができる。これにより、こんろ１は、煮こぼれが上面３１に向けて流出したり、上面３１および外周部３９を介して筐体２に向けて流出したりすることを防止できる。また、こんろ１は、筐体２に対するトッププレート３の固定のためのねじ止め部分を、トッププレート３の上面３１および中央凹部３２に設けていないので、上側から見たトッププレート３の美観が保たれる。また、こんろ１は、煮こぼれを直接に受けにくい外周部３９にねじ止め部分を設けることで、ねじ孔の隙間を介して浸入した煮こぼれ等の液体が、トッププレート３の下面および筐体２の内部に汚れや錆等を引き起こす可能性を低減できる。
【００２８】
図３に示すように、中央凹部３２において、バーナ開口４，４およびその周辺部は、それぞれ同じ構成を備える。バーナ開口４は、略円孔である。バーナ開口４の周縁部には、五徳装着部３３が設けられている。五徳装着部３３は、トッププレート３に五徳５０を配置するために設けられる部位である。また、五徳装着部３３は、バーナ開口４の周囲を上方から覆うことで、煮こぼれがバーナ開口４とガスバーナ５との間の隙間から筐体２内へ浸入することを防止している。本実施形態では、五徳装着部３３は、プレス加工によってトッププレート３に一体に成型されている。
【００２９】
五徳装着部３３は、円環部３３２、接続部３３３、電極挿通部３３４、熱電対挿通部３３５、凹部３３６，３３７，３３８を備える。円環部３３２は、中央凹部３２に対して上方に隆起してバーナ開口４の周縁部を取り囲む円環状の部分である。接続部３３３は、中央凹部３２と円環部３３２とを接続する部分である。接続部３３３の外周部に、後述する五徳リング５１（図６参照）が装着される。
【００３０】
電極挿通部３３４は、円環部３３２の後側において、点火電極５Ｄを円環部３３２の下面側から上面側へ挿通させるための部位である。電極挿通部３３４は、円環部３３２において、点火電極５Ｄの設置位置に対応する位置に配置されている。熱電対挿通部３３５は、円環部３３２における電極挿通部３３４の右側において、熱電対５Ｅを円環部３３２の下面側から上面側へ挿通させるための部位である。熱電対挿通部３３５は、円環部３３２において、熱電対５Ｅの設置位置に対応する位置に配置されている。本実施形態では、電極挿通部３３４および熱電対挿通部３３５は、ともにバーナ開口４に連続した凹みとして設けられている。詳細には、電極挿通部３３４および熱電対挿通部３３５は、バーナ開口４の後側の点火電極５Ｄおよび熱電対５Ｅに対応する部分が、円環部３３２の後側および右斜め後側のそれぞれに向けて広げられた形状で設けられている。
【００３１】
凹部３３６，３３７，３３８は、接続部３３３の外側に嵌め合わされる五徳リング５１に設けられている後述の三つの突起部６（図７参照）のそれぞれを受け入れて、五徳装着部３３に対して五徳５０を位置決めするための部位である。図４に示すように、凹部３３６は、五徳装着部３３の正面において、接続部３３３から円環部３３２の径方向内側へ向けて窪んだ平面視略Ｕ字形状に形成されている。凹部３３６の内側には、上下方向において円環部３３２と中央凹部３２との間の位置に配置される段部３３６Ａが設けられている。段部３３６Ａの中央凹部３２に対する高さは、後述する五徳５０の突起部６の形状に対応した高さである（図７参照）。凹部３３７は、五徳装着部３３において、凹部３３６からバーナ開口４の中心Ｐを中心として反時計回りに略１２０度回転した位置に設けられている。凹部３３７は、凹部３３６と同様に、接続部３３３から円環部３３２の径方向内側へ向けて窪んだ平面視略Ｕ字形状で形成されている。凹部３３８は、五徳装着部３３において、凹部３３６から中心Ｐを中心として時計回りに略１２０度回転した位置に設けられている。凹部３３８は、凹部３３６，３３７と同様に、接続部３３３から円環部３３２の径方向内側へ向けて窪んだ平面視略Ｕ字形状で形成されている。凹部３３７，３３８の内側には、段部３３６Ａと同様の段部３３７Ａ，３３８Ａがそれぞれ設けられている。
【００３２】
こんろ１において、凹部３３７，３３８、電極挿通部３３４および熱電対挿通部３３５を含む五徳装着部３３は、板金をプレス加工することで形成される。このため、仮に、電極挿通部３３４および熱電対挿通部３３５に近接して凹部３３７，３３８が設けられると、その部分において五徳装着部３３の板金強度が低下しやすくなったり、プレス加工時において歪み等が生じやすくなったりする可能性がある。そこで、本実施形態では、凹部３３７，３３８のそれぞれが、円環部３３２に配置された電極挿通部３３４および熱電対挿通部３３５を互いに挟む位置に配置されている。こんろ１は、凹部３３７，３３８、電極挿通部３３４および熱電対挿通部３３５をこのようの配置することで、凹部３３７，３３８、電極挿通部３３４および熱電対挿通部３３５のそれぞれを離間させることができる。これにより、凹部３３７，３３８、電極挿通部３３４および熱電対挿通部３３５とのそれぞれが円環部３３２に形成されるためのスペースが十分に確保される。従って、凹部３３７，３３８、電極挿通部３３４および熱電対挿通部３３５を含んで成型される五徳装着部３３の強度が低下しにくい。また、五徳装着部３３の成型歪みの発生が低減される。特に、本実施形態では、五徳装着部３３がトッププレート３とともに一体にプレス加工される。仮に五徳装着部３３に成型歪みが発生したトッププレート３は、こんろ１に使用できない。こんろ１は、上記のようにして五徳装着部３３の成型歪みの発生を低減できるので、トッププレート３の歩留りを向上させることができる。また、このような凹部３３７，３３８、電極挿通部３３４および熱電対挿通部３３５の配置の工夫により、五徳装着部３３を大きくすることなく、凹部３３７，３３８、電極挿通部３３４および熱電対挿通部３３５のそれぞれを離間させることができる。このため、五徳装着部３３を小型化できるので、こんろ１の美観が向上する。
【００３３】
図５に示すように、バーナ開口４の縁部４１の上側は、バーナ開口４の内側へ向けて上方にやや傾斜した形状に形成されている。また、バーナ開口４の縁部の板金端部は下方に折り曲げられている。円環部３３２は、バーナ開口４の周縁部に設けられ、バーナ開口４の縁部４１の下端部からバーナ開口４の径方向外側へ向けて広がる平面部である。接続部３３３は、中央凹部３２から立ち上がるとともに、上部において円環部３３２の外周縁部に接続する。接続部３３３のうち中央凹部３２から立ち上がる部分３３３Ｂは、所定の曲率半径で円弧状に形成され、中央凹部３２と接続部３３３とを滑らかに接続している。接続部３３３のうち円環部３３２に接続する部分３３３Ａは、部分３３３Ｂの曲率半径よりも大きな所定の曲率半径で円弧状に形成され、上方に湾曲している。このため、接続部３３３のいずれの部分も、円環部３３２よりも下方に位置する。
【００３４】
このように、円環部３３２は、バーナ開口４の縁部４１から、接続部３３３の部分３３３Ａに接続する位置までの領域である。ここで、バーナ開口４の中心Ｐから、円環部３３２と接続部３３３との境界である円環部３３２の外周縁部までの距離をＬ１とする。
【００３５】
図６から図８を参照して、五徳５０の構造について説明する。図６に示すように、五徳５０は、五徳リング５１、三つの五徳爪５２、三つの五徳爪５３を主に備える。五徳リング５１は、耐熱性を有する金属線材による円環形状であり、五徳５０の基部をなす。五徳リング５１は、五徳５０をトッププレート３上に載置するときに、接続部３３３の外周部を囲むようにして五徳装着部３３に装着される部分である。
【００３６】
三つの五徳爪５２および三つの五徳爪５３は、五徳リング５１において周方向に所定間隔を置いて等間隔に配置される、耐熱性を有する金属製である。三つの五徳爪５２および三つの五徳爪５３は、五徳リング５１に立設されて、五徳５０に載置される被加熱物を下側において支持する。五徳爪５２と五徳爪５３とは、五徳リング５１に対して周方向に交互に配置されている。一つの五徳爪５２と他の五徳爪５２との間隔は、五徳リング５１の周方向に互いに１２０度間隔である。また、一つの五徳爪５３と他の五徳爪５３との間隔は、五徳リング５１の周方向に互いに１２０度間隔である。このため、一つの五徳爪５２と隣り合う他の五徳爪５３との間隔は、五徳リング５１の周方向に互いに６０度間隔である。これらの三つの五徳爪５２および三つの五徳爪５３のそれぞれは、平面視において五徳リング５１の中心Ｑ側から径方向外側に向けて突出した放射状に配置されている。五徳爪５２と五徳爪５３とは、五徳爪５２および五徳爪５３が五徳リング５１に対して取り付けられる部位の形状が互いに異なるが、その他の部分は同一の形状を有している。
【００３７】
五徳爪５２および五徳爪５３の形状について詳細に説明する。図７に示すように、五徳爪５２および五徳爪５３は、ともに、正面視において五徳リング５１の内側に向けて開口する略Ｕ字形状である。五徳爪５２は、下アーム部５２３、上アーム部５２１および屈曲部５２２を備える。下アーム部５２３は、五徳爪５２の下部において、五徳リング５１の外周部から五徳リング５１の径方向外側に向けて延びる部分である。屈曲部５２２は、五徳リング５１の径方向外側に向けて屈曲した形状を有し、五徳リング５１の径方向外側の位置において下アーム部５２３に接続して上方に延びる部分である。上アーム部５２１は、屈曲部５２２の上部に接続して五徳リング５１の径方向外側から五徳リング５１の中心Ｑに向けて延び、五徳５０に載置される被加熱物を下側から支持する部分である。
【００３８】
五徳爪５３は、五徳爪５２と同様に、下アーム部５３３、屈曲部５３２および上アーム部５３１を備える。五徳爪５２の上アーム部５２１および屈曲部５２２は、五徳爪５３の上アーム部５３１および屈曲部５３２のそれぞれと同一形状である。五徳爪５２の下アーム部５２３と、五徳爪５３の下アーム部５３３とは、五徳リング５１の径方向内側の端部の形状が互いに異なる。
【００３９】
図７のＷ１領域内に示すように、五徳爪５２の下アーム部５２３における五徳リング５１の径方向内側の端部には、突起部６が形成されている。突起部６は、下アーム部５２３が五徳リング５１に取り付けられる位置に対応する五徳リング５１の内縁部５１１から五徳リング５１の径方向内側に向けて突出する部位である。本実施形態では、下アーム部５２３における五徳リング５１の径方向内側の端部が、五徳リング５１の内縁部５１１から五徳リング５１の径方向内側に向けて延設されることで、突起部６が形成される。突起部６は、五徳リング５１が五徳装着部３３に装着されたときに、前述の五徳装着部３３に設けられている凹部３３６，３３７，３３８に受け入れられる。これにより、五徳装着部３３に装着された五徳５０は、五徳装着部３３に対して回転しないように固定される。
回り止めされる。
【００４０】
突起部６は、上突出部６１と下突出部６２とを備える。上突出部６１は、突起部６のうち最も五徳リング５１の径方向内側に向けて突出する部位であり、突起部６の上部に設けられている。五徳５０が五徳装着部３３に対して装着された場合の中央凹部３２から上突出部６１の下端部６１１までの高さは、中央凹部３２に対する凹部３３６，３３７，３３８の段部３３６Ａ，３３７Ａ，３３８Ａの高さに対応している。このため、凹部３３６，３３７，３３８に受け入れられた突起部６は、段部３３６Ａ，３３７Ａ，３３８Ａのそれぞれの上側に、上突出部６１の下端部６１１を配置させる。上突出部６１の五徳リング５１の径方向内側の端部は、所定の曲率半径の円弧状に形成されている。このため、上突出部６１は、凹部３３６，３３７，３３８の内部を傷めにくい。
【００４１】
下突出部６２は、突起部６のうち上突出部６１に次いで五徳リング５１の径方向内側に向けて突出する部位であり、突起部６の下部に設けられている。下突出部６２は、上突出部６１の下側において、五徳リング５１の内縁部５１１から五徳リング５１の径方向内側に向けて突出している。突起部６が凹部３３６，３３７，３３８に受け入れられたときに、下突出部６２における五徳リング５１の径方向内側の端部である内端部６２１は、凹部３３６，３３７，３３８の段部３３６Ａ，３３７Ａ，３３８Ａよりも外側の位置に配置される。内端部６２１は、下突出部６２において最も五徳リング５１の径方向内側に向けて突出する部位である。下突出部６２の下側の端部である下端部６２２は、五徳リング５１の下縁部の僅かに下方に配置される。本実施形態では、五徳リング５１において三つの下端部６２２が配置されるので、五徳リング５１が五徳装着部３３に装着された場合、五徳５０は三つの下端部６２２を支点として中央凹部３２において安定して載置される。内端部６２１と下端部６２２とのなす角部は、上突出部６１の端部と同様に所定の曲率半径の円弧状に形成されているので、凹部３３６，３３７，３３８の内部および凹部３３６，３３７，３３８に対応する位置の中央凹部３２の上面を傷めにくい。図８に示すように、五徳リング５１の中心Ｑから下突出部６２の内端部６２１までの距離をＬ２とする。
【００４２】
一方、図７のＷ２領域内に示すように、五徳爪５３の下アーム部５３３おける五徳リング５１の径方向内側の端部には、突起部６に相当する五徳リング５１の内周縁から五徳リング５１の径方向内側に向けて突出する部位は設けられていない。即ち、三つの五徳爪５２および三つの五徳爪５３のうち、三つの五徳爪５２に突起部６が設けられている。
【００４３】
図６に示すように、五徳リング５１の中心Ｑを通過する仮想直線Ｓを左右方向に延ばして配置した場合、三つの五徳爪５２のうち一つの五徳爪５２は、五徳リング５１において仮想直線Ｓよりも前側の部分に配置される。また、三つの五徳爪５２のうち他の二つの五徳爪５２は、五徳リング５１において仮想直線Ｓよりも後側の部分に配置される。即ち、五徳リング５１の内周縁に設けられる三つの突起部６のうち一つの突起部６は五徳リング５１において仮想直線Ｓよりも前側の部分に、他の二つの突起部６は五徳リング５１において仮想直線Ｓよりも後側の部分に、それぞれ配置される。このように、三つの五徳爪５２が五徳リング５１において仮想直線Ｓを挟んだ両側の部分に分散して配置される。このため、例えば突起部を有する五徳爪５２が五徳リング５１対して二つしか設けられない場合に比べて、五徳５０が五徳装着部３３に対して安定して位置決めされる。
【００４４】
図９を参照して、五徳装着部３３に対する五徳５０の装着について説明する。図９に示すように、五徳リング５１が接続部３３３の外周部に装着されることで、五徳５０がトッププレート３の中央凹部３２における五徳装着部３３に装着される。五徳５０が五徳装着部３３に装着される際には、三つの五徳爪５２のうち一つの五徳爪５２が五徳装着部３３の正面に配置される凹部３３６に対応する位置に配置される。また、三つの五徳爪５２のうち他の二つの五徳爪５２は、五徳装着部３３の後面側に配置される凹部３３７，３３８に対応する位置に配置される。これにより、三つの五徳爪５２それぞれの下アーム部５２３における五徳リング５１の径方向内側の端部に形成された突起部６が、凹部３３６，３３７，３３８のそれぞれに受け入れられる。ここで、凹部３３６が五徳装着部３３の正面側に配置されているので、凹部３３６に受け入れられる突起部６に対応する五徳爪５２は、筐体２に対して正面側を向くように配置される。このため、こんろ１は、五徳５０に載置される被加熱物を、筐体２の正面側に、より傾きにくくできる。
【００４５】
本実施形態では、五徳５０の三つの突起部６および凹部３３６，３３７，３３８が、五徳リング５１および五徳装着部３３のそれぞれにおいて周方向に１２０度間隔で配置されている。仮に、五徳リング５１に対して突起部６を有する五徳爪５２が二つ設けられる場合、突起部６の個数に対応して五徳装着部３３に二つの凹部が設けられる。また、二つの突起部６および二つの凹部は、五徳リング５１および五徳装着部３３のそれぞれにおいて周方向に１８０度離間し、互いに対向する位置に設けられることがある。このような場合、五徳リング５１を五徳リング５１の周方向に１８０度回転させる毎に、二つの突起部６と二つの凹部とが対応する位置に配置されて、五徳装着部３３に対して五徳リング５１が装着される。これに対し、本実施形態では、五徳リング５１は１２０度回転される毎に、五徳装着部３３に対して五徳５０に装着される。従って、五徳５０が五徳装着部３３に対して正しく装着されやすい。また、こんろ１の使い勝手が向上する。
【００４６】
図１０および図１１を参照して、五徳５０が五徳装着部３３に対して正しく装着されていない場合について説明する。図１０に示すように、五徳５０の五徳爪５２の突起部６が五徳装着部３３の正面に配置される凹部３３６に対して正しく位置決めされていない状態で、五徳装着部３３に五徳５０を装着しようとした場合、突起部６は、五徳装着部３３の円環部３３２の上側に乗り上げ、五徳５０が斜めに傾いた状態となる。このような、五徳５０が五徳装着部３３に対して正しく装着されていない状態を、以下、誤装着状態と称する。
【００４７】
前述のように、本実施形態では、五徳リング５１において突起部６が三つ配置されるので、三つの突起部６それぞれの下端部６２２を支点として、五徳５０を平面の上に載置することができる。ここで、バーナ開口４の中心Ｐから円環部３３２の外周縁部までの距離であるＬ１（図５参照）は、五徳リング５１の中心Ｑから下突出部６２の内端部６２１までの距離であるＬ２（図８参照）よりも短くされている。このため、五徳リング５１を円環部３３２の上側に載置しようとする場合、五徳リング５１の三つの下端部６２２のうち少なくとも一つの下端部６２２は円環部３３２の径方向外側に配置される。円環部３３２の径方向外側には、円環部３３２よりも下方に位置する接続部３３３が設けられている。このため、円環部３３２の径方向外側に配置された下端部６２２は、円環部３３２の径方向内側に配置された下端部６２２よりも下方に配置される。このため、五徳リング５１は、円環部３３２の径方向外側に配置された下端部６２２を下側に向けて傾斜する。また、円環部３３２の径方向外側に配置された下端部６２２は、接続部３３３の上側に配置された後、接続部３３３の上面に沿って中央凹部３２に向けて、さらに下方に移動しやすい。即ち、五徳５０および五徳装着部３３は、五徳装着部３３の円環部３３２の上側に、五徳リング５１の三つの下端部６２２の全てを同時に載置できないように構成されている。
【００４８】
例えば、突起部６が五徳装着部３３の正面に配置される凹部３３６に正しく嵌め込まれず、凹部３３６近傍の円環部３３２に突起部６が乗り上げた誤装着状態の場合、図１０および図１１に示すように、五徳５０は五徳装着部３３に対して後方に傾斜した姿勢をとる。このような誤装着状態における五徳５０の姿勢は、五徳５０が五徳装着部３３に対して正しく装着されている状態の姿勢（図９参照）とは異なる。なお、図１０および図１１は、誤装着状態の五徳５０が五徳装着部３３に対して後方に向けて傾斜する様子が示されているが、誤装着状態の五徳５０は、この他、前方、左方、右方など、五徳装着部３３に対して様々な方向に傾き得る。誤装着状態における五徳５０が五徳装着部３３に対していずれの方向に傾斜していても、こんろ１の使用者は、五徳５０が誤装着状態にあることを一見して把握できる。こんろ１は、誤装着状態の五徳５０が五徳装着部３３に対して傾斜した姿勢をとるようにすることで、少なくとも五徳５０の上に被加熱物を載置してこんろ１を使用する前までに、五徳５０が誤装着状態にあることを、使用者にわかりやすく示すことができる。ひいては、五徳５０が誤装着状態にあるまま、こんろ１が使用されることが防止される。
【００４９】
以上説明したように、本実施形態のこんろ１では、バーナ開口４の中心Ｐから円環部３３２の外周縁部までの距離であるＬ１が、五徳リング５１の中心Ｑから突起部６のうち下突出部６２の内端部６２１までの距離であるＬ２よりも短くされている。このため、五徳リング５１の三つの突起部６が、五徳装着部３３の凹部３３６，３３７，３３８のそれぞれに受け入れられず、五徳５０が誤装着状態にある場合、五徳リング５１の三つの下端部６２２の全てが円環部３３２の上側に載置されることがない。五徳リング５１の三つの突起部６における下端部６２２のうち少なくとも一つの下端部６２２は、接続部３３３の上側に配置された後、接続部３３３の上面に沿って中央凹部３２に向けて下方に移動する。この場合、五徳５０は五徳装着部３３に対していずれかの方向に傾斜した姿勢をとることになる。従って、こんろ１は、五徳５０が誤装着状態にあることを、こんろ１の使用者に一見で把握させることができ、ひいては、五徳５０が誤装着状態のまま、五徳５０に調理容器等の被加熱物が載置されてこんろ１が使用されることを防止できる。
【００５０】
こんろ１において、五徳リング５１の内縁部５１１に三つの突起部６が設けられている。三つの突起部６ののうち一つの突起部６は、に対して、五徳リング５１の中心Ｑを通過して左右方向に延びる仮想直線Ｓよりも、五徳リング５１において前側の部分に配置される。また、三つの五徳爪５２のうち他の二つの五徳爪５２は、五徳リング５１において仮想直線Ｓよりも後側の部分に配置される。三つの突起部６が、五徳リング５１において仮想直線Ｓを挟んだ両側の部分に分散して配置されるので、例えば突起部を有する五徳爪５２が五徳リング５１に対して二つしか設けられない場合に比べて、五徳５０が五徳装着部３３に対して安定して位置決めされる。なお、このように五徳リング５１に三つの突起部６が設けられることで、五徳リング５１に対して突起部が二つしか設けられない従来例よりも、五徳５０は三つの下端部６２２を支点として中央凹部３２等の平面上に安定して載置される。この点、前述の距離Ｌ１が、同じく前述の距離Ｌ２よりも短くされているので、三つの下端部６２２うち少なくとも一つの下端部６２２は円環部３３２の上側に載置されることがなく、誤装着状態の五徳５０は五徳装着部３３に対して傾斜する。従って、こんろ１は、安定性の向上した五徳５０を使用した場合にも、五徳５０が誤装着状態にあることを使用者に一見で把握させることができる。
【００５１】
こんろ１は、五徳リング５１において、五徳リング５１の周方向に６０度間隔で交互に配置される三つの五徳爪５２および三つの五徳爪５３を備える。突起部６は、三つの五徳爪５２のそれぞれの下アーム部５２３における五徳リング５１の径方向内側の端部が、五徳リング５１の内縁部５１１から五徳リング５１の径方向内側に向けて延設されることで設けられる。即ち、三つの突起部６は、五徳リング５１において五徳リング５１の周方向に１２０度間隔で配置される三つの五徳爪５２の五徳リング５１に対する取付位置に対応して設けられる。このため、五徳リング５１を１２０度回転させる毎に、五徳装着部３３に対して五徳５０を正しく装着できる。五徳装着部３３に対して五徳５０が正しく装着されやすいので、五徳５０が誤装着状態になることが防止される。また、こんろ１の使い勝手が向上する。
【００５２】
凹部３３６は、五徳装着部３３の正面側に配置される。このため、凹部３３６に受け入れられる突起部６に対応する五徳爪５２は、筐体２に対して正面側を向くように配置される。従って、五徳５０に載置される被加熱物が、筐体２の正面側に転倒することが防止される。また、点火電極５Ｄおよび熱電対５Ｅは、バーナヘッド５Ｂの後方の炎口５Ａ近傍に配置される。このため、筐体２正面側からこんろ１を使用する使用者から点火電極５Ｄと熱電対５Ｅが視認されにくく、こんろ１の美観が向上する。点火電極５Ｄおよび熱電対５Ｅを円環部３３２の下面側から上面側へ挿通させる電極挿通部３３４および熱電対挿通部３３５は、円環部３３２において、点火電極５Ｄおよび熱電対５Ｅの設置位置に対応する位置に配置されている。凹部３３６，３３７，３３８は円環部３３２の周方向に１２０度間隔で配置されるが、このうち、凹部３３７，３３８は、円環部３３２において、電極挿通部３３４および熱電対挿通部３３５を互いに挟む位置に配置されている。このため、凹部３３７，３３８と電極挿通部３３４および熱電対挿通部３３５との間に所定の間隔が設けられる。これにより、凹部３３７，３３８と電極挿通部３３４および熱電対挿通部３３５が設けられる箇所における、板金のプレス代（しろ）が不足することが防止され、五徳装着部３３の成型歪みの発生が低減される。五徳装着部３３がトッププレート３とともに一体に成型される場合等には、トッププレート３の歩留りの向上に特に資する。また、このように凹部３３７，３３８、電極挿通部３３４および熱電対挿通部３３５の配置を工夫することで、五徳装着部３３を大きくすることなく、五徳装着部３３の成型歪みの発生を低減できる。従って、五徳装着部３３は小型化され、こんろ１の美観が向上する。
【００５３】
本実施形態において、こんろ１が、本発明の「こんろ」に相当する。ガスバーナ５が、本発明の「バーナ」に相当する。筐体２が、本発明の「筐体」に相当する。バーナ開口４が、本発明の「バーナ開口」に相当する。トッププレート３が、本発明の「天板」に相当する。五徳装着部３３が、本発明の「五徳装着部」に相当する。五徳５０が、本発明の「五徳」に相当する。五徳リング５１が、本発明の「五徳リング」に相当する。三つの五徳爪５２および三つの五徳爪５３が、本発明の「複数の五徳爪」に相当する。突起部６が、本発明の「突起部」に相当する。円環部３３２が、本発明の「円環部」に相当する。接続部３３３が、本発明の「接続部」に相当する。凹部３３６，３３７，３３８が、本発明の「凹部」に相当する。点火電極５Ｄが、本発明の「点火手段」に相当する。熱電対５Ｅが、本発明の「検知手段」に相当する。電極挿通部３３４および熱電対挿通部３３５が、本発明の「挿通部」に相当する。
【００５４】
なお、本発明は上記実施形態に限定されるものではなく、種々の変更が可能である。例えば、五徳装着部３３に設けられる凹部３３６，３３７，３３８の形状は、上記実施形態のものに限られず、種々に変更できる。以下、本発明の変形例について説明する。
【００５５】
図１２を参照して、本発明の変形例について説明する。変形例として、上記実施形態の五徳装着部３３において、凹部３４６，３４７，３４８が設けられた例について説明する。円環部３３２、接続部３３３、電極挿通部３３４、熱電対挿通部３３５については、上記実施形態と同様であるので、説明を省略する。図１２に示すように、変形例における凹部３４６は、五徳装着部３３の正面において、接続部３３３から円環部３３２の径方向内側へ向けて窪んだ形状で設けられている。凹部３４７，３４８のそれぞれは、凹部３４６からバーナ開口４の中心Ｐを中心として反時計回りおよび時計回りに略１２０度回転した位置において、接続部３３３から円環部３３２の径方向内側へ向けて窪んだ形状で、設けられている。凹部３４６，３４７，３４８はそれぞれ同様の形状を有しているので、凹部３４６に着目して説明する。
【００５６】
凹部３４６は、平面視で、円環部３３２の内側から接続部３３３の外側に向けて開口する穴部である。凹部３４６の円環部３３２の内側の端部から接続部３３３の外側の開口部に向けて、凹部３４６の形成する穴部は徐々に拡幅している。この場合、凹部３４６，３４７，３４８は、上記実施形態の凹部３３６，３３７，３３８よりも突起部６を受け入れやすくなるので、五徳５０を五徳装着部３３に対して容易に装着でき、こんろ１の使い勝手が向上する。また、凹部３４６，３４７，３４８の内部の清掃性が向上するので、こんろ１の使用者は、こんろ１を衛生的に使用できる。変形例において、凹部３４６，３４７，３４８が本発明の「凹部」に相当する。
【００５７】
なお、本発明は、上記の実施形態および変形例に限定されるものではなく、種々の変更が可能である。上記実施形態では、五徳装着部３３は、トッププレート３と一体に成型されているが、これに限られず、五徳装着部３３がトッププレート３とは別体に構成されていてもよい。
【００５８】
接続部３３３は、円環部３３２よりも下方に位置する部分であればよく、例えば、接続部３３３は、上下方向において円環部３３２と中央凹部３２との間の位置において、円環部３３２から一段下がった段落ち部であってもよい。また、接続部３３３は、円環部３３２の外周縁部と中央凹部３２とを接続する斜面部であってもよい。
【００５９】
電極挿通部３３４および熱電対挿通部３３５は、ともにバーナ開口４に連続した凹みとして設けられていなくてもよく、例えば、バーナ開口４とは独立した孔部として円環部３３２における点火電極５Ｄおよび熱電対５Ｅの設置位置に対応する位置に配置されてもよい。
【００６０】
凹部３３６，３３７，３３８は、五徳装着部３３において、必ずしも接続部３３３の外側から円環部３３２の内側へ向けて窪んだ形状で設けられていなくてもよい。例えば、凹部３３６，３３７，３３８の窪んだ形状が、接続部３３３のみに留まるものであってもよい。五徳５０の突起部６の形状は、五徳５０を五徳装着部３３に対して位置決めするのに適した種々の形状を採用可能であるとともに、突起部６を受け入れる凹部３３６，３３７，３３８の形状も突起部６の形状に応じた種々の形状を採用可能である。
【００６１】
上記実施形態では、五徳爪５２は突起部６を有し、五徳爪５２は、五徳リング５１に対して三つ設けられているが、五徳リング５１は、五徳爪５２を二つ備えてもよいし、四つ以上の五徳爪５２を備えてもよい。この場合、五徳爪５２の配置および個数に応じて、五徳装着部３３に設ける凹部３３６，３３７，３３８の配置および個数を変更してもよい。
【００６２】
突起部６は、必ずしも五徳爪５２の下アーム部５２３における五徳リング５１の径方向内側の端部に設けられなくてもよい。例えば、突起部６と同様の用途をなす突起等が、五徳爪５２の五徳リング５１に対する取付位置とは異なる位置において、五徳リング５１の内縁部５１１から五徳リング５１の径方向内側に向けて突出して設けられてもよい。また、このような突起等は、五徳リング５１に二つ以上設けられていればよい。この場合、五徳リング５１における突起等の配置および個数に応じて、五徳装着部３３に設ける凹部３３６，３３７，３３８の配置および個数を変更してもよい。
【００６３】
ガスバーナ５に点火するための手段は、上記実施形態の点火電極５Ｄに限られず、燃料ガスを含む混合気に点火可能なヒータ等であってもよい。また、上記実施形態のこんろ１は、ガスバーナ５を備えるガスこんろであるが、例えば石油等の液体燃料を含むその他の燃料を用いる種々のこんろであってもよい。
【符号の説明】
【００６４】
１    こんろ
２    筐体
３    トッププレート
４    バーナ開口
５    ガスバーナ
５Ｄ    点火電極
５Ｅ    熱電対
６    突起部
３２    中央凹部
３３    五徳装着部
５０    五徳
５１    五徳リング
５２，５３    五徳爪
３３２    円環部
３３３    接続部
３３４    電極挿通部
３３５    熱電対挿通部
３３６，３３７，３３８，３４６，３４７，３４８    凹部
【図１】
0006560916.tif 000002
【図２】
0006560916.tif 000003
【図３】
0006560916.tif 000004
【図４】
0006560916.tif 000005
【図５】
0006560916.tif 000006
【図６】
0006560916.tif 000007
【図７】
0006560916.tif 000008
【図８】
0006560916.tif 000009
【図９】
0006560916.tif 000010
【図１０】
0006560916.tif 000011
【図１１】
0006560916.tif 000012
【図１２】
0006560916.tif 000013